Podtech/llm-jp-corpus-v4-ja_patent huggingface dataset:
(57)【要約】【課題】  本来、絆創膏を使用する際、粘着部分どうしがくっついたりして、失敗してダメにしてしまうことがあるのと、手の指に貼る時に隣の指が邪魔して、貼りにくいことがある。【解決手段】  本体１を指に貼りつけて、指で押さえながら、傷口に貼りつけて指をはがし、シリコンなどのやわらかくて薄い素材で粘着性のあるものをはずすようにする。【構成】  本体１は、従来の絆創膏の背面部分にシリコンなどのやわらかくて薄い素材で粘着性のあるものを貼りつけて、その上にフィルムを貼る。【選択図】図１
2012024532.tif 000002
【特許請求の範囲】
【請求項１】
絆創膏の背面部分にシリコンなどの柔らかくて薄い素材で粘着性のあるものを貼りつけて、その上にフィルムを貼る。まずシリコン側のフィルムをはがし、指に本体１を貼りつけて、絆創膏のフィルムをはがし、指で押さえながら傷口に貼りつける。
【発明の詳細な説明】
【技術分野】
【０００１】  本発明は、従来の絆創膏の背面部分にシリコンなどのやわらかくて薄い素材で粘着性のあるものを貼りつけて、その上にフィルムを貼る。
【発明が解決しようとする課題】
【０００２】  本来、絆創膏を貼る時、粘着部分どうしがくっついたりして、失敗してダメにしてしまうことがあるのと、手の指に貼る時、隣の指が邪魔して貼りにくいことがあるので、本発明はこの課題を解消するためになされたものである。
【課題を解決するための手段】
シリコン側のフィルムをはがし、本体１を指に貼りつけて、指で押さえながら傷口に貼りつけて、指をはがし、シリコンなどのやわらかくて薄い素材で粘着性のあるものをはずすようにする。
【発明の効果】
このようにすれば、粘着部分どうしがくっついたりして失敗してダメにしてしまうことがなく、特に絆創膏を傷口のある手の指に貼りつける時は、シリコン側のフィルムをはがし、本体１を反対の手の指につけて、絆創膏のフィルムをはがし、手の指を曲げながら傷口に貼りつけると非常に容易に貼りつけることができる。
【図面の簡単な説明】
【図１】  指に付けて貼れる絆創膏の全体図
【発明を実施するための形態】
本体１は、従来の絆創膏の背面部分にシリコンなどのやわらかくて薄い素材で粘着性のあるものを貼りつけて、その上にフィルムを貼る。
【符号の説明】  １  本体
２  シリコンの様なやわらかくて薄いもの
３  フィルム
【図１】
2012024532.tif 000003
【図２】
2012024532.tif 000004
【手続補正書】
【提出日】平成22年9月30日(2010.9.30)
【手続補正１】
【補正対象書類名】明細書
【補正対象項目名】全文
【補正方法】変更
【補正の内容】
【発明の詳細な説明】
【技術分野】
【０００１】  本発明は、従来の絆創膏の背面部分にシリコンなどのやわらかくて薄い素材で粘着性のあるものを貼りつけて、その上にフィルムを貼る。
【発明が解決しようとする課題】
【０００２】  本来、絆創膏を貼る時、粘着部分どうしがくっついたりして、失敗してダメにしてしまうことがあるのと、手の指に貼る時、隣の指が邪魔して貼りにくいことがあるので、本発明はこの課題を解消するためになされたものである。
【課題を解決するための手段】
【０００３】  本体１のシリコン側のフィルムをはがし、それを指に貼りつけて、指で押さえながら傷口に貼りつけて、指をはがし、最後にシリコンなどのやわらかくて薄い素材で粘着性のあるものをはずすようにする。
【発明の効果】
【０００４】  このようにすれば、粘着部分どうしがくっついたりして失敗してダメにしてしまうことがなく、特に絆創膏を傷口のある手の指に貼りつける時は、シリコン側のフィルムをはがし、本体１を反対の手の指につけて、絆創膏のフィルムをはがし、手の指を曲げながら傷口に貼りつけると非常に容易に貼りつけることができる。特に利き手の指や手をケガした時に、すごく貼りやすいです。
【図面の簡単な説明】
【０００５】
【図１】  指に付けて貼れる絆創膏の全体図
【図２】  本体１を指に付けた状態の図
【発明を実施するための形態】
【０００６】  本体１は、従来の絆創膏の背面部分にシリコンなどのやわらかくて薄い素材で粘着性のあるものを貼りつけて、その上にフィルムを貼る。
【符号の説明】
【０００７】１  本体
２  シリコンのなどのやわらかくて薄いもの
３  フィルム
(57)【要約】      （修正有）【課題】頁を押さえる厚さにかかわらず、適切な押さえ力により頁を押さえることの可能な頁押さえ具を備えた書見台を提供する。【解決手段】書見台１の本の載置面の下部左右両側に架台２を設け、この架台２に丸棒３を橋架し、この丸棒３外周を加圧し且つ丸棒３上を回動可能な、頁面接部５を備えた頁押さえ具４を摺動可能かつ回動可能に外嵌し、最適な頁押さえ位置において、適切な頁押さえ力により、頁を抑えることのできる頁押さえ具４を備えた書見台１。【選択図】図１
2012024531.tif 000002
【特許請求の範囲】
【請求項１】
書見台面上に架台を設け、この架台に丸棒を橋設し、この丸棒に丸棒の外周を加圧し且つ丸棒上を回動可能な、頁面接部を備えた頁押さえ具を外嵌する、かかる構造を特徴とした書見台。
【請求項２】
書見台面の下端の左右両側に同一形状の架台を取り付け、この架台間に丸棒を橋架してこれを本の地支持台とし、併せてこの丸棒にステンレス材等で作った帯板の一端を巻き締めて頁押さえ具とし、そして一方の他の端を頁面接部とする、かかる構造を特徴とした書見台。
【発明の詳細な説明】
【技術分野】
【０００１】  本発明は、架台に橋設した丸棒に、頁面接部を備えた頁押さえ具を外嵌した書見台に関するものである。
【背景技術】
【０００２】  従来、書見台の頁を押さえる部分は台面にじかに蝶着されていた、従って本を読み進み頁の嵩が増えてくると、頁の反発力に抗しきれず頁を押さえる部分は開いてしまい役立たなくなった。【０００３】  頁押さえ部分をレバーで支持して、このレバー軸締めネジの締め加減で、頁を押さえる方法があるが、径の小さいネジでは締め付ける力に限界があり、頁の嵩が増えて頁の反発力が強くなると抗しきれない（例えば特許文献１参照）。【０００４】  頁押さえ部分をコイルバネで支持して、このコイルバネの弾力で、頁を押さえる方法もあるが、径の小さいコイルバネでは押さえる力に限界があり、頁の嵩が増えて頁の反発力が強くなると抗しきれない（例えば特許文献２参照）。【０００５】  また、頁押さえ部を本の最適な位置への移動させる方法として、書見台の載置部へ挟持させた頁押さえクリップを左右動させる方法があるが、挟持されたクリップは回動出来ないので、頁面接部は頁面に接することは出来ない（例えば特許文献２参照）。【０００６】
【特許文献１】  特許公開２００６−２６３４０１
【特許文献２】  特許公開２００７−２５６４５４
【発明の開示】
【発明が解決しようとする課題】
【０００７】  これには、次のような問題点があった。
頁の嵩が増えると頁の反発力に抗しきれず、頁押さえは開いてしまい、頁を押さえる役は果たせなかった。
また置いた本に見合った最適な頁押さえ位置へ頁押さえ具が移動出来ても、その位置で頁押さえ具を回動させて頁面接部で頁面を押さえ付ける事は出来なかった。
本発明は、これらの問題点を解決するためになされたものである。
【課題を解決するための手段】
【０００８】  書見台面に架台を設け、この架台に丸棒を橋設し、この丸棒に丸棒の外周を加圧し且つ丸棒上を回動可能な、頁面接部を備えた頁押さえ具を外嵌する。
以上を特徴とする書見台である。
【発明の効果】
【０００９】  本を読み進み頁の嵩が増えても、丸棒に外嵌された頁押さえ具の大きな抱持力は、頁の反発力に対抗し得るようになる。
また、頁押さえ具は丸棒上を移動して最適な頁押さえ位置へ頁面接部を置く事が出来るようになり、且つその位置で頁押さえ具を回動させて、頁面接部は頁面を押さえ付ける事が出来るようになる。
【発明を実施するための最良の形態】
【００１０】  以下、本発明の実施の形態について図１で説明する。
書見台（１）表面の下端の左右両側に同一形状の架台（２）を設け、架台に丸棒（３）を橋架する、尚この丸棒（３）は本の地支持台をも兼務する。
この丸棒にステンレスの帯板を巻き付けて、これを頁押さえ具（４）とする。
そしてこの帯板の他の一方の端を、頁を押える頁面接部（５）とする。【００１１】  本発明は以上のような構成で、これを使う時はまず頁押さえ具（４）を、置いた本に見合った最適な位置へ丸棒（３）上を移動させる、次に頁押さえ具（４）を下方向へ少し回転させて、頁押さえ具の頁面接部（５）が頁を軽く押えるようにする。【００１２】  読書が進み、頁の嵩が増えて頁面接部（５）へ頁が差し込み難くなった時は、丸棒上の頁押さえ具（４）を上方向へ少し回転させて、頁を差し込み易くする。【００１３】  そして、頁押さえ具（４）を使う必要が無い時は、丸棒（３）上の頁押さえ具（４）を上方へ大きく回転させて頁面接部（５）を頁面から遠ざけてやる。
なお図２は、図１の実施例の頁押さえ具の側面図である。【００１４】  また本発明の第２の実施例は図３に示すように、書見台（１）下方の中央に架台（２）を一個設置して本の地支持台とし、これに丸棒（３）の中央部のみを橋架状に載設する。【００１５】  この丸棒（３）にリング状の頁押さえ具（４）を外嵌する。
そしてこの頁押さえ具（４）に丸棒外周加圧ネジ（６）を取り付けて、ネジの締め加減で丸棒外周への加圧が調節出来るようにする。
更に頁押さえ具（４）の頁面接部（５）には回転ローラー（７）を軸架して、頁を滑り込み易くした例である。
なお図４は、図３の実施例の頁押さえ具の側面図である。【００１６】  また本発明の第３の実施例は図５に示すように、書見台（１）下端の左右に複数の穴を設け、何れの穴へも架台（２）が差し込めるようにする。
そしてこの架台（２）に丸棒（３）を橋設し、丸棒（３）にクリップ状の頁押さえ具（４）を取り付けた例である。
なお図６は、図５の実施例の頁押さえ具の側面図である。【００１７】  また本発明の第４の実施例は図７に示すように、書見台（１）の両側面に、左右に移動可能な板を取り付け、その両板の左右両端の上下に設置した架台（２）に丸棒（３）を縦方向に橋設して、この丸棒（３）に目玉クリップ状の頁押さえ具（４）を取り付けた例である。
なお図８は、図７の実施例の頁押さえ具の側面図である。
【図面の簡単な説明】
【００１８】
【図１】  本発明の斜視図
【図２】  本発明の頁押さえ具の側面図
【図３】  本発明の第２の実施例の斜視図
【図４】  本発明の第２の実施例の頁押さえ具の側面図
【図５】  本発明の第３の実施例の斜視図
【図６】  本発明の第３の実施例の頁押さえ具の側面図
【図７】  本発明の第４の実施例の斜視図
【図８】  本発明の第４の実施例の頁押さえ具の側面図
【符号の説明】
【００１９】１  書見台
２  架台
３  丸棒
４  頁押さえ具
５  頁面接部
６  丸棒外周加圧ネジ
７  回転ローラー
【図１】
2012024531.tif 000003
【図２】
2012024531.tif 000004
【図３】
2012024531.tif 000005
【図４】
2012024531.tif 000006
【図５】
2012024531.tif 000007
【図６】
2012024531.tif 000008
【図７】
2012024531.tif 000009
【図８】
2012024531.tif 000010
(57)【要約】      （修正有）【課題】平面研磨機と円筒研磨を一つの機械に集約した研磨機を製作し、印刷状態と同じ状態で研磨する方法の研磨機械を提供する。【解決手段】平面研磨はドクターアーム６がＢの位置にあり、ドクターブレード１の研磨面が真上を向いた状態で研磨する。ドクターシャフト７には角度計がついており刃先研磨角度を見る事ができる。研磨砥石１２はボールジョイント１３で保持角パイプ１４に取付られているので左右に揺動できる。保持角パイプ１４はスライドレール１５に取付られており、上下に自由にスライドできる。したがってドクターブレード１の研磨面には砥石１２、保持角パイプ１４、とスライドレール１５の合計重量が作用する事になる。【選択図】図２
2012024913.tif 000002
【特許請求の範囲】
【請求項１】
ドクターブレード先端の版に対する角度を任意に設定して、接面巾を所定の値に設定出来るようにドクターブレード刃先を修正及び研磨する方法。
【請求項２】
摩耗変形したドクターブレードの刃先の直線性の復活、及び角度の設定方法。
【請求項３】
ドクターブレードの接面の精密研磨仕上げのための円筒研磨方法。
【請求項４】
ドクターブレードの変形修正と精密仕上げの工程を関連して同一機械に組み込んだ装置。
【発明の詳細な説明】
【技術分野】
【０００１】この発明はドクターブレードの刃先の形状を平面研磨機、円筒研磨機で理想的な刃先形状に研磨する事が出来る研磨機に関するものである。
【背景技術】
【０００２】新品のドクターブレードを使用し印刷を開始すると刃先は摩耗を始める、一様に摩耗すれば問題ないが、円筒版は凹形彫刻してある所と、凹部以外の平面の所が遍在しているので場所により摩耗量が異なる。このためドクターブレード刃先は長手方向に波状に摩耗していく、この摩耗が限界をこえるとインクのかきとりが出来ず印刷物が汚れて使用できなくなる。
この場合新品のドクターブレードに交換すると部品コストと交換作業時間がかかる。  摩耗した刃先を修正する機械が現在ないので、ドクターブレードをドクターホルダーごと万力にくわえ、熟練技術者の感で砥石とサンドペーパーで修正して再使用している。（ドクターブレード先端厚さは５０ミクロンしかなく、この先端を６０度の角度を付けで研磨する必要があり、神業的作業であり、危険である。）再研磨しても正確に研磨出来たか確認する方法もなく、実際に印刷してみないと結果の良否が判らない。
【発明の概要】
【発明が解決しようとする課題】
【０００３】摩耗したドクターブレードの修正を熟練技術者の感にたより砥石とサンドペーパーで仕上げていては、印刷品質の確保と向上も望めないので刃先修正研磨機械を考案する必要がある。この場合修正したドクターブレードが印刷前に正確に復元出来たか同時に計測出来ることが必要である。
【課題を解決するための手段】
【０００４】本研磨機械の構成は図１、図２に示すように平面研磨機と円筒研磨機が一緒に組み込まれた構造になっている。
「平面研磨」
平面研磨はドクターアーム６がＢの位置にあり、ドクターブレード１の研磨面が真上を向いた状態で研磨する。ドクターシャフト７には角度計がついており刃先研磨角度を見る事ができる。研磨砥石１２はボールジョイント１３で保持角パイプ１４に取付られているので左右に揺動できる。保持角パイプ１４はスライドレール１５に取付られており、上下に自由にスライドできる。したがってドクターブレード１の研磨面には砥石１２、保持角パイプ１４、とスライドレール１５の合計重量が作用する事になる（必要があれば錘を追加する事により自由に調整できる。）
研磨砥石１２は保持プレート１６で電動スライドレール１７に取付られている。
電動スライドレール１７は電動で水平に左右に往復スライドする機能を持っている以上の通り研摩砥石１２はドクターブレード１の先端面を移動し研削する。
ここで研摩砥石１２の研磨面が全面的に摩耗するように電動スライドレールは傾けて設置してあります。
なお平面研磨はドクターブレード１の波型摩耗を修正するためのもので研磨面は粗いので最終仕上げとして、次に説明する円筒研磨を行う。
「円筒研磨」
円筒研磨はドクタクターアーム６がＡの位置にある状態で行う。
円筒研磨は研磨ドラム９と研磨液体１０で行いドクターブレード１を研磨ドラム９に押し付けて研磨ドラム９を回転させて行う。研磨ドラムは全面に彫刻されておりこのみぞに研磨液体１０がはいりドクターブレードの先端を研磨する。
この研磨状態は丁度印刷機で印刷する状態と同じ条件に設定すれば理想的な研磨が出来る。
「研磨作業の確認」
円筒研磨終了直前にドクター先端面圧調整錘１１を軽くしていくと研磨液体１０が研磨ドラム９に均一に塗布されれば完了です。均一ではなく斑になるようでしたら再度円筒研磨を行います。均一になるまで円筒研磨すればドクターブレード１は波型摩耗はなくドクターブレード１の先端は真直ぐに研磨された事になります。
【発明の効果】
【０００５】印刷開始前にドクターブレードを理想的な形状に仕上げてあるので、印刷試験運転時間が短く、定常運転に移行できるので作業時間の短縮と印刷歩留が向上できる。
従来のドクターブレード先端を砥石とサンドペーパーを使って手作業で感をたよりに研磨しなくてすみ熟練作業者が不要になる。
印刷の時間経過によるドクターブレード１の摩耗状態が安定しているので楽に作業ができる。
【実施例】
【０００６】上記発明を実証すべく試作機（添付写真１）を製作しドクターブレード先端の修正研磨し、顕微鏡にて形状を測定した結果理想的な形状に研磨出来る事が確認できた。
なおこのドクターブレードを印刷機に装着し実際に使用した結果試運転時間が短く定常運転に早く移行できた。  印刷中も状態が安定しており作業者が楽になった。
この結果ドクターブレードの再研磨が可能になり寿命が従来の比べ３〜４倍に伸びた。
【図面の簡単な説明】
【０００７】
【図１】研磨機上面図
【図２】研磨機側面図
【図３】グラビヤ印刷原理図
【図４】ドクターブレードと版の拡大図
【図５】ドクターブレードの摩耗状態図
【図６】ドクターブレードの実際の変形図
【符号の説明】
【０００８】  １  ドクターブレード
２  バックプレート
３  ドクターホルダー（上）
４  ドクターホルダー（下）
５  スライドプレート
６  ドクターアーム
７  ドクターシャフト
８  ドクタースライド調整ノブ
９  研磨ドラム
１０  研磨液体
１１  ドクター先端面圧調整錘
１２  研磨砥石
１３  ボールジョイント
１４  保持角パイプ
１５  スライドレール
１６  保持プレート
１７  電動スライドレール
１８  スライドレール保持パイプ
１９  固定ノブ
２０  支持受け右
２１  支持受け左
２２  メインフレーム
Ａ  円筒研磨状態でのドクター位置
Ｂ  平面研磨状態でのドクター位置
【図１】
2012024913.tif 000003
【図２】
2012024913.tif 000004
【図３】
2012024913.tif 000005
【図４】
2012024913.tif 000006
【図５】
2012024913.tif 000007
【図６】
2012024913.tif 000008
(57)【要約】      （修正有）【課題】若布や昆布などの海洋植物の胞子や根株を直接植栽することができ、海洋植物の生長にともない分解していくコンクリートブロックを提供する。【解決手段】腐葉土と水を攪拌し、セメント、砂、小石、肥料を配合、混練し、ブロック作成用の型枠に流し込み、その際、胞子や根株を植栽する穴空けて乾燥させ、海洋植物の生長に合わせて適度に分解できるように硬度の調整を図ったコンクリートブロック。【選択図】図３
2012024071.tif 000002
【特許請求の範囲】
【請求項１】
［００２０］
セメント、砂、小石、肥料を混練し、硬度を植物の生長に合わせて適度に分解できるように硬度の調整を図ったコンクリートブロックである。
【請求項２】
【発明の詳細な説明】
【技術分野】
【０００１】  本発明は、若布や昆布をはじめとする海洋植物の育成を目的に砂、小石、肥料をセメントで固めたブロックで且つ、植物の根が排出する養分によって適度に分解するよう調整を図ったブロックである。
【背景技術】
【０００２】  自然界には無数の岩石類が存在する。これらの岩石に植物の自生が生じるか否かは植物が根から排出する養分によって岩石が如何なる反応をするかによって決定する。
こうした事例は代表的な富士山の樹海をはじめ、至る処で観察することができる。
本発明はこの課題を解消するものであり、海洋植物の育成を目的に植物に合わせてブロックの分解能力を調整することにより、自然界に自生する若布や昆布よりも数倍大きく成長させることを可能とした。
この様なブロックと植物の間に発生するブロックの分解と植物の生長に関する開発発明は、今まで提案されていない。
従来のコンクリートブロックには、コンクリートに肥料を混入させたものがある。（例えば、非特許文献１参照）
また、コンクリートの筒に肥料を入れ海中で飛散させるものもある。（例えば、非特許文献２参照）
【先行技術文献】
【特許文献】
【特許文献１】
【特許文献２】
【非特許文献】
【０００３】
【非特許文献１】  再公表特許（Ａ１）日本データサービス株式会社  出願番号２００１−５２２８３４（Ｐ２００１−５２２８３４）
【非特許文献２】  再公表特許（Ａ１）株式会社マリンプラネット  出願番号２０００−２４８２５４（Ｐ２０００−２４８２５４）
【発明の概要】
【発明が解決しようとする課題】
【０００４】  非特許文献１の製品はコンクリートの中に肥料を混入し、海洋植物の自生を促すものである。これはブロックに肥料を入れ海中に飛散させるとあるがブロックが硬すぎ自生し難い、また、植物の自生を促すだけであり、植栽をして目的の植物の生長に合わせて分解するブロックでもない。【０００５】  非特許文献２の製品はまた、コンクリートブロックの筒状の中に肥料成分を入れ、海中に飛散させ周辺の藻場を肥沃にするもので、本発明の形態、育苗と異なる。
【課題を解決するための手段】
【０００６】  この発明は、コンクリートブロックに目的の海洋植物の胞子や根株を直接植栽し、生長させることと、植物がブロックを分解しながら生長するのでブロックが分解し終わるまで継続してブロック内の肥料を養分として生長できるようにブロックの硬度を調整したものである。
【発明の効果】
【０００７】  コンクリートブロック硬度を植物の生長に合わせ分解できるようにしたことにより、植物の生長を自生植物の数倍に高めることができる。【０００８】  また、コンクリートブロックが破壊分解され周辺部分に飛散することにより、植物の自生が活発に行なわれる等、藻場の再生にも貢献できる。
【図面の簡単な説明】
【０００９】
【図１】本発明の実施形態の例を示す平面図
【図２】  同コンクリートブロックの右側面図
【図３】同コンクリートブロックの胞子、根株植栽用の穴の概要断面図
【図４】同コンクリートブロックの利用形態の例として延縄式設置図
【図５】同コンクリートブロックの利用形態の例として海洋農場設置図
【図６】同コンクリートブロックによる若布の養殖実験記録写真
【発明を実施するための形態】
【００１０】  以下、本発明の実施形態を図１〜図５に基づいて説明する。
【００１１】  図１においては、１は植物の胞子又は根株等を植栽する穴で、２はブロックを吊上げ、吊下げをするロープ縫縛用及び植物が生長したときに根を張らせる貫通口である。
【００１２】  図２においては、同コンクリートブロックの右側面図からみた形態である。
【００１３】  図３においては、同コンクリートブロック胞子、根株植栽穴の概要断面で穴へ胞子や根株を植栽する方法を現している。
【００１４】  図４においては、同コンクリートブロックを延縄式で設置する場合の形状を示している。
【００１５】  図５においては、同コンクリートブロックを形及び大きさを変化させ配列させることにより、海洋農場のような海洋植物農園を作る例図である。
【実施例１】
【００１６】コンクリートブロックの製造
市販の腐葉土（有機培養土）と水を攪拌したもの作り、市販品のセメント（セメント、砂、小石の配合品）と混練させ、ブロック作成用の型枠に流し込みます。
その際、胞子や根株を植栽する穴（直径１．５〜３ｍｍ，深さ３０ｍｍ〜４０ｍｍ程度）とロープ等で吊るす場合は貫通口も同時に空けて乾燥させ、乾燥後に型枠を外します。
【実施例２】
【００１８】若布の植栽と生長の実験
若布の胞子による実験の結果、長さ２．５ｍ以上の生長があり、自生株の１．５倍以上の大きさに生長した。（図６  コンクリートブロックによる若布の養殖実験記録写真参照）
【産業上の利用可能性】
【００１９】  若布、昆布等の食用海洋植物及び鮑、サザエ等の餌としての養殖事業及び珊瑚の死滅による再生事業並びに沿岸漁業活性化の藻場作り、海洋農場、海洋牧場作り並びに水族館、臨海リゾートホテル、やレジャーランド等で海洋農場を作り、観光客にガラス越しで水中の散策や水中でのダイビングを楽しむ施設作り等、用途は多種多様に活用できる。【００２０】  沿岸漁業の人工漁礁及び鮑やサザエ等の養殖漁場及び藻場等に同コンクリートブロックを小石、捨石程度に作成し海中投下するだけで、自生の海洋植物園が形成され豊饒な海を蘇らすことが可能であり、地域及び漁協単位等の取組みには最適である。
【符号の説明】
【・・・・】
【受託番号】
【・・・・】
【図１】
2012024071.tif 000003
【図２】
2012024071.tif 000004
【図３】
2012024071.tif 000005
【図４】
2012024071.tif 000006
【図５】
2012024071.tif 000007
【図６】
2012024071.tif 000008
【手続補正書】
【提出日】平成22年9月7日(2010.9.7)
【手続補正２】
【補正対象書類名】特許請求の範囲
【補正対象項目名】全文
【補正方法】変更
【補正の内容】
【特許請求の範囲】
【請求項１】
セメント、砂、小石、肥料を混練し、硬度を植物の生長に合わせて適度に分解できるように硬度の調整を図ったコンクリートブロック
(57)【要約】【課題】農園芸支柱は、安定させるためにハンマーや木槌などの道具を用いて頭部キャップを叩き込む、その場合、該キャップが破損する可能性がある。また、支柱を設置した状態が土壌に垂直ではなく傾いてることがある。更に、単なる棒状の丸鋼などで、した穴をあける場合、丸鋼を打ち込んだ後、引き抜く際、揺さぶって抜くので大きめな下穴になり、支柱に適切な嵌合状態の下穴にならないことが課題であった。    【解決手段】本発明による農園芸支柱用下穴あけ具は下端を錐形に尖がらせた垂直鋼パイプの上端に、ハンドルにあたる水平鋼パイプを溶接したT字型構造からなり、ハンドルの中央には叩き込み部材が設けられ、また、これ等パイプに下げ振りが取り付けられていることにより、該下穴あけ具を目安深さまで叩き込みハンドルを回転しながら抜くと、適切な嵌合状態の下穴をあけることができる。【選択図】図１
2012024077.tif 000002
【特許請求の範囲】
【請求項１】
下端を錐形に尖がらせた(穴の深さを見る)目安穴付垂直鋼パイプ１の上端に、ハンドルにあたる水平鋼パイプ２を溶接したT字型構造からなり、ハンドルの中央には叩き込み部材４が設けられたことを特徴とする農園芸支柱用下穴あけ具。
【請求項２】
土壌に垂直に打ち込めるように、下げ振り金具５を具備したことを特徴とする請求項1記載の農園芸支柱用下穴あけ具。
【請求項３】
叩き込み部材４の長期間叩き込みによるまくれから手に傷つくことを防止するリング部材３を具備したことを特徴とする請求項２記載の農園芸支柱用下穴あけ具。
【発明の詳細な説明】
【技術分野】
【０００１】
本発明は、農園芸支柱を土壌に打ち立てる作業を容易にする為の下穴あけ具に関するものである。
【背景技術】
【０００２】
農園芸において、不安定な植物を支えるために、上下両端にキャップを備えた農園芸支柱が広く利用されている。この種支柱は防錆性の金属管とその両端には一般に軟質の合成樹脂材性キャップとから形成されている。したがって、支柱を土壌に立てる場合、上端のキャップが破壊しないよう気をつけて軽く叩き込むか、柔らかい地面に軽い力で突き刺して使用するか、地面に孔を掘って支柱の先端部分を埋めて使用していた。
【０００３】
この場合、不安定な植物の荷重等によって農園芸支柱自身が傾倒したり撓んだりする現象が起こりうる。これに関して、出願人は、この改善策として傾倒や撓み変形が起きにくくする為、予め十分な深さで、しかも適切な嵌合状態の下穴を土壌にあけることができる下穴あけ具を提案をしている。
【先行技術文献】
【特許文献】
【０００４】
【特許文献１】特許公開２００７−１４３４６０
【発明の概要】
【発明が解決しようとする課題】
【０００５】
農園芸支柱は、比較的柔らかい地面に軽い力で突き刺して使用することができるが、この場合支柱そのものが不安定になり易い。より安定させるために、ハンマーなどの道具を用いて叩き込むと、キャップが破損する可能性がある。
【０００６】
上記、従来技術の欠点に鑑み、本発明は農園芸支柱が傾倒や撓み変形が起きにくくする為、予め十分な深さで、しかも適切な嵌合状態の下穴をあけるものを提供することを目的とするものである
【課題を解決するための手段】
【０００７】
上記目的を達成するため、本発明は、下端を錐形に尖がらせた垂直鋼パイプ１の上端に、ハンドルにあたる水平鋼パイプ２を溶接したT字型構造からなり、ハンドルの中央には叩き込み部材４が設けられ、また、これ等パイプ間に下げ振り５が具備されている該下穴あけ具を叩き込むことにより、予め十分な深さで適切な嵌合状態の下穴をしかも土壌に垂直にあけることができるため、農園芸支柱を垂直に堅固に立てることができる。
【発明の効果】
【０００８】
請求項１記載の本発明の農園芸支柱用下穴あけ具によれば、農園芸支柱を破壊することなく立てるための下穴、しかも目安深さに適切な嵌合状態の下穴をあけることを可能にした。
【０００９】
請求項２記載の発明により請求項１記載の発明を実施する上において、下穴が土壌に垂直にあけることを可能にした。
【００１０】
請求項３記載の発明により請求項２記載の発明を実施する上において、長期間叩き込みによるまくれから手に傷つくことを防止する故、安全に打ち込むことを可能にした。
【図面の簡単な説明】
【００１１】
【図１】農園芸支柱用下穴あけ具全体の正面図
【図２】A−Ａ矢視図
【図３】上端部の拡大断面図
【図４】まくれを表す上端部の拡大断面図
【図５】実施態様を示す図
【発明を実施するための形態】
【００１２】
以下、本発明に係る農園芸支柱用下穴あけ具の好ましい実施形態を添付の図面に基づいて説明する。
図１は農園芸支柱用下穴あけ具全体の正面図、図2は図１におけるA−Ａ矢視図、図3は該穴あけ具の上端部の拡大断面図、図4は図３において叩き込み部材４にまくれが生じた該穴あけ具の上端部の拡大断面図、図5は農園芸支柱用下穴あけ具を実際に土壌に叩き込んでいる実施態様を示す図である。
【実施例１】
【００１３】
図１及び図2は、本発明装置の実施例の正面図であって、目安穴付垂直鋼パイプ１の上端に、ハンドルにあたる水平鋼パイプ２を溶接したT字型構造からなり、更にハンドルの中央には叩き込み部材４、及びまくれから手に傷つくことを防止するリング部材３が溶接されている。また、両パイプ間に下げ振り５が具備されている。特に、パイプ構造にしたのは軽量化で取り扱いが容易であるのが利点である。
【００１４】
図3及び図4はハンドルにあたる水平鋼パイプ２とリング部材３、叩き込み部材４の相対関係を表す。また、図4の叩き込み部材４は長期間使用後のまくれ状態を表すがリング部材３によりまくれを囲っているため手を傷つけることなく安全に作業ができる。  
【００１５】
図5は農園芸支柱用下穴あけ具を実際に土壌にハンマーで叩き込んでいる図であり、目安穴まで下げ振り５を見ながら垂直に叩き込み、ハンドルにあたる水平鋼パイプ２を手で回転して該下穴あけ具を引き抜くと十分な深さで適切な嵌合状態の下穴をあけることができる。できた下穴に農園芸支柱を容易に打ち立てることができる。
【産業上の利用可能性】
【００１６】
あらゆる支柱類を打ち立てる際に、十分な深さでしかも制度の良い適切な嵌合状態の下穴を土壌に垂直にあけるのに不可欠な工具として広分野に適用できる。
【符号の説明】
【００１７】
１    目安穴付垂直鋼パイプ
２    ハンドルにあたる水平鋼パイプ
３    リング部材
４    叩き込み部材
５    下げ振り
５a  下げ振り部品その１
５b  下げ振り部品その２
５c  下げ振り部品その３
【図１】
2012024077.tif 000003
【図２】
2012024077.tif 000004
【図３】
2012024077.tif 000005
【図４】
2012024077.tif 000006
【図５】
2012024077.tif 000007
(57)【要約】【課題】  飼い犬・猫に用いる留守時の自動給餌器に於いて、セット時の同器にまつわる彼らの習性により、タイマーに連結する開閉部を占拠するなどでたわいない番狂わせが頻発していた。【解決手段】  餌箱をＬ字状に設けて本体の一側に軸支し、セット時は縦伏せして閉じ蓋に、之を反転してオープンとする回動手段により、専用の開閉装置を省略する。【選択図】図２
2012024073.tif 000002
【特許請求の範囲】
【請求項１】
犬・猫用自動給餌器に於いて、餌箱をＬ字状に設けて本体の一側に軸支し、回動して閉じ蓋と、反転して餌皿の二役に設けたことを特徴とする、犬・猫用自動給餌器。
【請求項２】
上記第１項の犬・猫用自動給餌器に於いて、セット時の餌箱回動でバネ圧を上げ、その復元力を回転制御して低速な餌箱展開に設けたことを特徴とする、犬・猫用自動給餌器。
【発明の詳細な説明】
【技術分野】
【０００１】  本発明は、飼い犬・猫に用いる自動給餌器に関するものである。
【背景技術】
【０００２】  主として日帰りで留守をする際、飼い犬・猫に時限給餌器が使用されるが、日頃は支障ない彼らの習性が、事情の察知と共にセット後の給餌器にまつわり、開閉部を占拠する等のたわいない番狂わせが頻発していた。
【発明の開示】
【発明が解決しようとする課題】
【０００３】  餌箱の開閉部を本体の側方に設け、餌箱自体の回動手段によって専用の開閉装置を省略する。
【課題を解決する為の手段】
【０００４】  餌箱をＬ字状に設けて本体の一側に軸支し、セット時は縦伏せして閉じ蓋に充て、反転は、セット時にチャージしたバネ圧を回転制御して縦下ろしの低速な餌箱展開とする。
【発明の効果】
【０００５】１、餌箱のオープンが縦下ろしの回動である為、外圧を受ける事がなく、又、展開に彼らが接触する時は、速度上、立ち退きを促す余裕がある。
２、時間差を置く給餌手段にあっては、タイマーを共用する連結型餌箱の用意により、手軽に増設することができる。
【発明を実施する為の最良の形態】
【０００６】  Ｌ字状に設けた餌箱（１）は、曲部が本体（２）に軸支され、バネ圧に抗して回動すると図１のように倒立して閉じ蓋となり、ラチェット部（５）がロックを兼ねる。
上記の行程でチャージされたバネ圧がタイマー（３）により解除されると、制御装置（４）が作動して低速な展開で図２の態様となる。
【図面の簡単な説明】
【０００７】
【図１】本発明のセット−収納時を表わす概略側面図。
【図２】本発明のオープン時を表わす概略側面図。
【符号の説明】
【０００８】１・・・餌箱
２・・・本体
３・・・タイマー
４・・・制御装置
５・・・ラチェット部
【図１】
2012024073.tif 000003
【図２】
2012024073.tif 000004
(57)【要約】【課題】  １個のルアーで、重さの異なるビスを付け替えることで、重さを自由に変えることができ、潜行深度を自由に変えることができるものである。【解決手段】  ルアー本体（１）にビスを着けるための穴（２）を設ける、重さの違うビス（３）を数種類容易し、ドライバーで付けたり、外したりすることで重さを自由に変えることができるものである。。【選択図】図１
2012024065.tif 000002
【特許請求の範囲】
【請求項１】
釣具のルアーのプラグという種類の、重さを自由に換えるため本体（１）腹の下にビスをつける穴（２）を設ける、そこへ重量の違うビス（３）を用意して交換きるようにする。
【発明の詳細な説明】
【技術分野】
【０００１】  この発明は、１個のルアーで重さを自由に変えることができ、潜行深度を自由に変えることができるものである。
【背景技術】
【０００２】  従来、重さが一定であったので、魚の居る深さによって、重量の異なる物を何個も持つ必要があった。
【発明の開示】
【発明が解決しようとする課題】
【０００３】  これは、次のような欠点があった。
釣具のルアーのプラグという種類は、魚の居る深度で、水に浮くもの・水中に漂うもの・ゆっくり沈むもの・早く沈むもの、と重さの違うものを何種類も持つ必要があり、かさばってしまうことである。
【課題を解決するための手段】
【０００４】  ルアー本体（１）にビスを着けるための穴（２）を設け、重さの違うビス（３）を数種類容易し、ドライバーで付けたり、外したりする。
本発明は、以上の構造により、重さをその場で変えることができるようにしたものである。
【発明の効果】
【０００５】（ア）  一瞬でルアーの重さを自由に変えることができる。
（イ）  持ち運びにかさばらない。
（ウ）  濡れていてもすぐに変えることができる。
（エ）  ビスなので何回でも使える。
【発明を実施するための最良の形態】
【０００６】  以下、本発明を実施するための最良の形態について説明する。
ルアー本体（１）にビスを着けるための穴（２）を設ける。
重さの違うビス（３）を数種類用意し、ドライバーで付けたり、外したりする。
本発明、以上のような構造である。
このような構造だと１個のルアーでいろいろな使い方ができる。
【図面の簡単な説明】
【０００７】
【図１】  本発明品を横から見た説明図である
【図２】  本発明品を下から見た説明図である。
【符号の説明】
【０００８】  １  本体
２  穴
３  ビス
【図１】
2012024065.tif 000003
【図２】
2012024065.tif 000004
(57)【要約】【課題】  従来品は、釣り針がぶら下がっているだけなので、魚の口のどこに刺さるかわからなかったので、一番掛かった魚が外れにくい上顎に確実に刺さるようにしたものである。【解決手段】  本体（１）の後ろの釣り針をつける輪（２）を腹の下へ設けスプリットリング（３）を付け、釣り針（４）のスプリットリングを通す穴を半分だけ本体に埋める溝（５）を設け、釣り針を上向きに固定できるウレタン製の固定具（６）を付けることで釣り針を上向きに固定することができるようにしたものである。【選択図】図１
2012024064.tif 000002
【特許請求の範囲】
【請求項１】
釣具のルアーのプラグという種類の、本体（１）の後ろの釣り針をつける輪（２）を腹の下に設け、スプリットリング（３）を付け、釣り針（４）を本体へ密着させるため、釣り針のスプリットリングを付ける穴の部分を、半分だけ本体に埋める溝（５）を設ける、釣り針を固定するウレタン製の固定具（６）を付け、釣り針を上向きに固定する。
【発明の詳細な説明】
【技術分野】
【０００１】  この発明は、リアのフックを常に上向きに固定でき、魚が掛かると本体から外れ、魚が外れにくくなるものである。
【背景技術】
【０００２】  従来、釣り針がブルブラしていた。
【発明の開示】
【発明が解決しようとする課題】
【０００３】  これは、次のような欠点があった。
魚を釣るには、魚の口の上顎に針が刺さるのが一番外れにくい。
従来の針はぶら下がっているだけなので、口のどこに刺さるかわからないのと、糸と針が一直線上にないため力が伝わりにくいという欠点があった。
しかも針が下に付いているため川底等に引っかかてしまうという欠点もあり、ルアーというプラスチックを川底等に残してしまうという環境破壊にもつながる欠点があったが、本発明は以上のような欠点をなくすためのものである。
【課題を解決するための手段】
【０００４】  釣具のルアーのプラグという種類の、本体（１）の後ろの釣り針をつける輪（２）を腹の下へ設け、スプリットリング（３）をつけ、釣り針（４）を本体へ密着させるため、釣り針のスプリットリングを付ける穴の部分を、半分だけ本体に埋める溝（５）を設け、釣り針を固定するウレタン製の固定具（６）をつける。
本発明品は、以上の構造により、釣り針を上向きに固定できるものである。
【発明の効果】
【０００５】（ア）  魚の口の上顎に確実に刺すことができる。
（イ）  ウレタン製の固定具は、下部が切れているため魚が掛かると、針が垂れ下がる形      状になるため、魚が一度掛かったら外れにくい。
（ウ）  川底等に掛かりにくいため無くなることがすくない。
【発明を実施するための最良の形態】
【０００６】  以下、本発明を実施するための最良の形態について説明する。
本体（１）の後ろの釣り針をつける輪（２）を腹の下に設けスプリットリング（３）を付け、釣り針（４）を本体へ密着させるため、釣り針のスプリットリングを付ける穴の部分を半分だけ本体に埋める溝（５）を設けることで本体に密着することができ、釣り針を上向きに固定できるウレタン製の固定具（６）を付けることで釣り針を上向きに固定することができる。
【図面の簡単な説明】
【０００７】
【図１】  発明品を横から見た説明図である。
【図２】  ウレタン製の固定具の説明図である
【符号の説明】
【０００８】１  本体
２  針を付ける穴
３  針を付ける穴と針を結ぶリング（スプリットリング）
４  釣り針
５  釣り針のスプリットリングを付ける穴の部分を半分だけ本体に埋める溝
６  ウレタン性の固定具
【図１】
2012024064.tif 000003
【図２】
2012024064.tif 000004
(57)【要約】【課題】おにぎりに海苔を巻いてしばらく置くと、海苔がご飯にしっとりつき、海苔全体がご飯にぴったりついてしまうことが一般的である。本発明は子供やお年寄りが噛みきりやすくした、切り込み入りの海苔を提供する。【解決手段】おにぎり用の板海苔（１）に、七夕飾りでよく使われる網飾り（２）の、切り込みを入れ、おにぎりに巻く。【選択図】図１
2012024068.tif 000002
【特許請求の範囲】
【請求項１】
板海苔に網飾りの切込みが入っている。
【発明の詳細な説明】
【技術分野】
【０００１】  本発明は、海苔に切り込みが入っており、子供やお年寄りでも噛みやすくしたものである。
【背景技術】
【０００２】  おにぎりに海苔を巻いてしばらく置くと、海苔がご飯にしっとりつき、海苔全体がご飯にぴったりついてしまうことが一般的である。
【発明の概要】
【発明が解決しようとする課題】
【０００３】  おにぎりに海苔を巻いてすぐに食べる場合、海苔はパリパリして噛みやすいが、海苔をまいてしばらく置くと、しっとりぴったり海苔がご飯についてしまい、噛みきりづらくなる。噛む力が弱い子供やお年寄りは、海苔とご飯がバラバラになってしまい持っているおにぎりが崩れやすくなったりする。また、崩れたおにぎりの海苔の部分だけ食べると丸飲みになりやすく、危険である。本発明は、これらの問題点を解決するためになされたものである。
【課題を解決するための手段】
【０００４】  おにぎり用の板海苔（１）に、七夕飾りでよく使われる網飾り（２）の、切り込みを入れる。
【発明の効果】
【０００５】  本発明を使用することによって、海苔が噛みちぎりやすく、子供やお年寄りが上手に安全に自立して食べることが出来るようになる。海苔を引っ張ると網目が伸び、模様が出来るので中身がわからない具に対しての網模様有・無など差別化する事も出来き、少しの海苔でもおにぎりをカバー出来るので、海苔の節約にもなる。
【図面の簡単な説明】
【０００６】
【図１】本発明の正面図
【図２】本発明を引っ張った際の正面図
【発明を実施するための形態】
【０００７】  以下、本発明の実施の形態を説明する。
おにぎり用の板海苔（１）に、七夕飾りでよく使われる網飾り（２）の、切り込みを入れ、おにぎりに巻く。
【符号の説明】
【０００８】１  板海苔
２  網飾りの切り込み
【図１】
2012024068.tif 000003
【図２】
2012024068.tif 000004
(57)【要約】【課題】釣りスポーツと同時に、他のゴルフ  野球スポーツも楽しめる  各スポーツのボール型釣り用錘を提供する。【解決手段】釣り用ボール型錘の  内芯の合成  天然ゴム樹脂に比重１ｇ／ｍｌ以上及び、以下の金属物質の、粉体又は固体を混入して重さの種類を区別をし、ゴルフボール型であればゴルフ様クラブで打ち  野球用ボール型であればバットで打って遠くへ飛ばせる様にする。【選択図】図２
2012024069.tif 000002
【特許請求の範囲】
【請求項１】
各競技用ボールと同じ形とし、ボール本体を構成する内芯、外被へ  浮きとして使用する場合は、比重１ｇ／ｍｌ以下の  物質  金属粉固体を混入し、錘として使用する場合は比重１ｇ／ｍｌ以上の物質  金属粉固体を混入して、重さを区別する。
【請求項２】
ボール本体の重心  中心を貫通する穴を開口して、芯棒や釣り糸を通し、自由に回転出来る様にする。
【請求項３】
芯棒の両端にワッシャ  クッションを噛まして芯棒の両端をフック型およびリング型に加工をする
【発明の詳細な説明】
【技術分野】
【０００１】本発明は、魚釣りスポーツだけで無く、ゴルフ、野球の他のスポーツを楽しみながらより広範囲での魚釣りが、出来る様にした物である。
【背景技術】
【０００２】従来は、他のスポーツの要素を採り入れた魚釣り用錘は、無かった。
【先行技術文献】
【特許文献１】
【０００３】
【発明の概要】
【発明が解決しようとする課題】
【０００４】投げ釣りでは、技術、道具、力の差により魚釣りの範囲が限られており又ゴルフ、野球のスポーツは広範囲のスペースが必要である、本発明は、この課題を解消し同時に２つ以上のスポーツを楽しめる様になされた物である。
【課題を解決するための手段】
【０００５】従来の釣り用金属製錘の代わりに、合成、天然、ゴム、樹脂製のボール型で、ボールを構成する材質の内部へ、浮きとして使用する場合は、比重１ｇ／ｍｌ以下の物質、金属粉体及び固体を混入し、錘として使用する場合は、比重１ｇ／ｍｌ以下の物質金属粉体及び固体を、混入して、重さに、差をつけて分類し用途に合わせて使用する。ゴルフボール型は、ゴルフクラブで打ち、野球ボール型は、バットで打って、他のスポーツを楽しみながら魚釣りが出来るようにした。
【発明の効果】
【０００６】投げ釣りだけでなく、他のスポーツを楽しみながら、より広範囲で魚釣りが、出来る様になった。
【図面の簡単な説明】
【０００７】
【図１】本発明の全体図である
【図２】本発明の断面図である
【発明を実施する為の形態】
【０００８】以下、本発明の実施の形態について説明する。
イ）  各競技用ボールの内芯の合成  天然ゴム  樹脂に浮きとして使用する場合は、比重１ｇ／ｍｌ以下の金属物質の粉体及び固体を混入し、錘として使用する場合は、比重１ｇ／ｍｌ以上の金属物質の粉体及び固体を混入しておもさを、分類化する。
ロ）  ボール型錘の中心を貫通する様に穴を開ける（芯棒径より大きく開けてルーズにする）ワッシャクッションで  芯棒が本体の穴に食込まない様にして芯棒を通す
ハ）  芯棒の両端をフック型又は、リング型にして釣り糸、釣り針用仕掛けの取付が出来る様にする。
二）  ボール型錘の外皮にディンプル加工を施して、方向性を付ける。
【符号の説明】
【０００９】１  ボールの外皮
２  ボールの内芯
３  芯棒用貫通口
４  ワッシャ  クッション材
５  芯棒
【図１】
2012024069.tif 000003
【図２】
2012024069.tif 000004
(57)【要約】【課題】商品訴求力を有する石鹸を提供する。【解決手段】希少性および由来の正統性を兼ね備えた高級食材であるスイゼンジノリを石鹸に含有させた。【選択図】なし【特許請求の範囲】
【請求項１】
スイゼンジノリを含有することを特徴とする石鹸。
【請求項２】
型から取り出した後に少なくとも２週間、常温にて熟成させることにより、前記スイゼンジノリを素地に溶け込ませたことを特徴とする請求項１に記載の石鹸。
【発明の詳細な説明】
【技術分野】
【０００１】
本発明は、整肌に用いる石鹸に関する。
【背景技術】
【０００２】
石鹸は、本来的には人体に付着した油や塵埃を洗浄することを目的とした界面活性剤であるが、近年では、肌を整えることを目的とした化粧石鹸や、殺菌消毒を目的とした薬用石鹸などの機能性を謳った商品が供給されるようになってきている。このような機能性石鹸として、例えば特許文献１には、コラーゲンやミネラルを含有する石鹸が開示されている。また特許文献２には、漢方の有効成分を含有する石鹸が開示されている。
【先行技術文献】
【特許文献】
【０００３】
【特許文献１】特開２００３−３２１３４６号公報
【特許文献２】特開２００５−２６３９２３号公報
【発明の概要】
【発明が解決しようとする課題】
【０００４】
これらの機能性石鹸は通常の石鹸よりも高額であるにもかかわらず多くの消費者に受け入れられたため、多数の事業者が競うように新商品を市場に投入するようになった。その結果、市場は多種多様な機能性石鹸で溢れるかえることになり、もはや単に高級感や機能性を謳うだけでは他社商品との差別化ができない状況になっている。一般に高額商品の市場においては、高級で高品質であることは当然の前提であって、これらに加えて、商品もしくは商品に含まれる成分の希少性、さらには由来の正統性が商品購入の決め手となることが多い。従って、機能性石鹸の市場においても、希少性および由来の正統性を備えた成分を含有する石鹸は商品訴求力を発揮すると考えられる。
【課題を解決するための手段】
【０００５】
本発明は、前記課題を解決するため、スイゼンジノリを含有することを特徴とする石鹸を提供する。
【０００６】
スイゼンジノリは、熊本市にある水前寺成趣園に自生していたことから命名された淡水藍藻類である。現在では福岡県朝倉市の黄金川のみで自生が確認されており、環境省が定める絶滅危惧種に指定されている。黄金川で採取されるスイゼンジノリは、「川茸（登録商標）」や「川苔」と呼ばれ、高級食材として全国の料亭などで使用されている。商品としてのスイゼンジノリは、乾燥させ、板状に加工された状態で流通しており、本発明においても板状のスイゼンジノリを細かく粉砕したものを使用している。
【０００７】
スイゼンジノリに含まれる多糖類「サクラン」は高い吸水性に特長がある。従って、スイゼンジノリを含有する石鹸で身体を洗ったときには、一般の石鹸を使用したときに起こりがちな肌のツッパリ感やカサカサ感がなく、しっとりとした保湿感を体感することができる。またスイゼンジノリには鉄分やカルシウム、マグネシウムなどのミネラルやビタミンが他の藻類に比べて豊富に含まれており、優れた整肌効果を体感することができる。
【０００８】
石鹸は、原液を流し込んだ型から取り出した後に少なくとも２週間、常温にて熟成させることにより、スイゼンジノリを素地に溶け込ませたものが好ましい。これにより、製造直後は切片状に分散していたスイゼンジノリが石鹸全体に行き渡るようになり、石鹸のどの部分を使用しても整肌効果を体感することができるようになる。
【発明の効果】
【０００９】
希少性および由来の正統性を兼ね備えた高級食材であるスイゼンジノリを含有させることにより、商品訴求力のある石鹸を提供することができる。
【発明を実施するための形態】
【００１０】
本発明の実施の形態の石鹸は、基本的には石鹸の素地にスイゼンジノリを溶け込ませたものである。石鹸の素地は、一般的に知られた石鹸の製法、例えば、釜炊き法、釜炊き塩析法、中和法、冷間法（コールド製法）などにより製造することができる。このうち釜炊き法と冷間法は、製造の過程で生成されるグリセリンを排除しないため、保湿効果の高い素地を製造することに適しており、スイゼンジノリの持つ保湿効果と相まって整肌効果の高い石鹸を製造することができる。特に冷間法は、熱を加えずに常温で熟成させるため、高温加熱を行う他の製法に比べて原材料となる油脂の劣化が少ないという利点がある。
【００１１】
ここでは冷間法による石鹸の製造方法について詳細に説明する。石鹸の原材料には、苛性ソーダ（水酸化ナトリウム）、油脂、水、スイゼンジノリを使用する。石鹸６００ｇに対し、苛性ソーダ６１ｇ、油脂５００ｇ、水１９０ｇ、スイゼンジノリ２ｇを使用した。
【００１２】
最初に、苛性ソーダを水に溶かし、苛性ソーダ水溶液を製造する。次に、油脂および苛性ソーダ水溶液をそれぞれ４０度前後になるまで加熱し、油脂を泡立て器で攪拌しながら苛性ソーダ水溶液を少量ずつ加える。苛性ソーダ水溶液の全量を加えたら、苛性ソーダ水溶液と油脂の混合液の温度を保ちながら１時間程度、泡立て器で攪拌する。
【００１３】
次に、細かく粉砕したスイゼンジノリを混合液に加え、約１０分間、泡立て器で攪拌する。以上の過程により、石鹸の原液が完成する。完成した石鹸の原液は、型に流し込み、保温箱に丸一日格納する。その後、保温箱から取り出し、型入れしたまま一日、さらに型から取り出して一日熟成させる。
【００１４】
最後に、使いやすい大きさや形に裁断し、さらに４週間乃至６週間熟成させる。この間、約２週間程度でスイゼンジノリが溶解し、素地に溶け込む。完成した石鹸は、グリセリンとスイゼンジノリの相乗効果により、高い保湿効果を持つ化粧石鹸として使用することができる。
【００１５】
以上の製法により製造された石鹸を５０代乃至７０代の男女数名に実際に使用してもらったところ、次のような効果が確認できた。
【００１６】
肌に対しては、シミ、くすみ、しわ、たるみが減少もしくは抑制された。また肌を白くする美白効果が確認された。さらにアトピーなどのアレルギー体質の方にも使用感が好評であった。
【００１７】
男性の場合、髭剃りに使用すれば、剃刀の滑りがよく、爽快な剃り味を体感できた。また剃刀負けにも効果的であった。さらには髭の伸びが遅くなったとの報告もあった。
【００１８】
洗髪に使用したところ、髪の毛のからみやごわつきがなく、リンスを使用する必要がなくなった。またふけやかゆみも軽減された。
【産業上の利用可能性】
【００１９】
本発明の実施の形態の石鹸は、その高い保湿効果により、入浴、洗顔、洗髪などに好適に使用することができるという優れた機能性に加え、希少性と由来の正統性を兼ね備えた高級化粧石鹸として、スイゼンジノリの新たな需要を生み出し、新たな産業となり得るものである。